(57)【要約】【課題】広幅の磁気テープを、長手方向に沿って、裁断して、磁気テープを製造する際に、得られる磁気テープの裁断面の不規則な凹凸パターンを最小限に抑制することができ、データの記録時あるいはデータの再生時に、磁気テープの裁断面の不規則な凹凸パターンに起因して、磁気テープの裁断面の一部が、磁気テープの裁断面から剥離して、脱落することを効果的に防止することができる磁気テープの製造方法を提供する。【解決手段】互いにオーバーラップし、反対向きに回転する円板状の上刃６と円板状の下刃７により、広幅の磁気テープが裁断されて、形成されるべき下刃側の裁断面が、４０％ないし６５％の破断によって裁断された領域を含むように、広幅の磁気テープの裁断が開始されるときの上刃と下刃のなす裁断開始角度θを設定し、広幅の磁気テープを裁断して、磁気テープを製造する。【選択図】      図４
2004272968.tif 000002
【特許請求の範囲】
【請求項１】
広幅の支持体の一方の面に、磁気記録層が形成され、他方の面に、バックコート層が形成された広幅の磁気テープを、互いにオーバーラップし、反対向きに回転する円板状の上刃と円板状の下刃の間に供給して、所定の幅に裁断して、製造された磁気テープであって、前記下刃側の裁断面が、４０％ないし６５％の破断によって裁断された領域を含むことを特徴とする磁気テープ。
【請求項２】
広幅の支持体の一方の面に、磁気記録層が形成され、他方の面に、バックコート層が形成された広幅の磁気テープを、互いにオーバーラップし、反対向きに回転する円板状の上刃と円板状の下刃の間に供給して、所定の幅に裁断し、磁気テープを製造する磁気テープの製造方法であって、前記上刃と前記下刃により、前記広幅の磁気テープが裁断されて、形成されるべき前記下刃側の裁断面が、４０％ないし６５％の破断によって裁断された領域を含むように、互いにオーバーラップし、反対向きに回転する前記円板状の上刃と前記円板状の下刃との間に供給された前記広幅の磁気テープの裁断が開始されるときの前記円板状の上刃と前記円板状の下刃のなす裁断開始角度を設定し、前記広幅の磁気テープを裁断し、磁気テープを製造することを特徴とする磁気テープの製造方法。
【請求項３】
互いにオーバーラップし、反対向きに回転する前記円板状の上刃と前記円板状の下刃との間に供給された前記広幅の磁気テープの裁断が開始されるときの前記円板状の上刃と前記円板状の下刃のなす裁断開始角度を９°以上で、かつ、１２°未満に設定して、前記広幅の磁気テープを裁断し、磁気テープを製造することを特徴とする請求項２に記載の磁気テープの製造方法。
【請求項４】
前記上刃として、前記下刃に対向する面が、前記下刃の前記上刃に対向する面と略平行な上刃を用いることを特徴とする請求項１または２のいずれか１項に記載の磁気テープの製造方法。
【請求項５】
前記磁気テープが、コンピュータ用データバックアップテープとして、構成されていることを特徴とする請求項１ないし３のいずれか１項に記載の磁気テープの製造方法。
【発明の詳細な説明】
【０００１】
【発明の属する技術分野】
本発明は、磁気テープおよびその製造方法に関するものであり、さらに詳細には、互いにオーバーラップし、反対向きに回転する円板状の上刃と下刃の間に、広幅の磁気テープを供給し、その長手方向に沿って、広幅の磁気テープを裁断して、磁気テープを製造する際に、得られる磁気テープの裁断面の不規則な凹凸パターンを最小限に抑制することができ、データの記録時あるいはデータの再生時に、磁気テープの裁断面の不規則な凹凸パターンに起因して、磁気テープの裁断面の一部が、磁気テープの裁断面から剥離して、脱落することを効果的に防止することができる磁気テープおよびその製造方法に関するものである。
【０００２】
【従来の技術】
通常、磁気テープは、広幅の支持体の一方の面に、磁気記録層を形成し、他方の面に、バックコート層を形成した後、裁断装置の回転する上刃と下刃の間に、広幅の磁気テープを供給して、製品の幅に裁断して、製造されている。
【０００３】
しかしながら、互いにオーバーラップし、反対向きに回転する円板状の上刃と下刃の間に、広幅の磁気テープを供給して、製品の幅に裁断し、磁気テープを製造する場合には、裁断面に不規則な凹凸パターンが生じやすいことが知られており、磁気テープの裁断面に大きな不規則な凹凸パターンが生じた場合には、磁気テープの裁断面が、ガイド面となるため、磁気テープにデータを記録する際に、磁気テープをガイドするデータ記録装置のガイド部材によって、磁気テープの裁断面をガイドしたとき、あるいは、磁気テープからデータを再生する際に、磁気テープをガイドするデータ再生装置のガイド部材によって、磁気テープの裁断面をガイドしたときに、裁断面の一部が、磁気テープの裁断面から剥離して、脱落するという不具合が生じるおそれがある。
【０００４】
【発明が解決しようとする課題】
このような不具合の発生を防止し、磁気テープの裁断面の不規則な凹凸パターンが小さくなるように、広幅の磁気テープを裁断し、磁気テープを製造するために、従来、広幅の磁気テープを裁断する円板状の上刃と円板状の下刃とのオーバーラップの程度を調整したり、上刃または下刃に面取りを施すなどの方法が提案されている。
【０００５】
このような方法によって、磁気テープの裁断面の不規則な凹凸パターンを、ある程度、改善することができるが、磁気テープの裁断面の不規則な凹凸パターンを改善するために、設定すべき円板状の上刃と円板状の下刃とのオーバーラップの程度は、円板状の上刃と円板状の下刃の径に依存し、裁断に使用する円板状の上刃と円板状の下刃の径に応じて、円板状の上刃と円板状の下刃とのオーバーラップの程度を実験的に設定することが必要不可欠であるし、また、上刃または下刃に面取りを施すだけでは、磁気テープの裁断面の不規則な凹凸パターンを十分に改善することができないため、磁気テープの裁断面の不規則な凹凸パターンを、所望のように改善し得る方法の開発が望まれていた。
【０００６】
したがって、本発明は、互いにオーバーラップし、反対向きに回転する円板状の上刃と下刃の間に、広幅の磁気テープを供給し、その長手方向に沿って、広幅の磁気テープを裁断して、磁気テープを製造する際に、得られる磁気テープの裁断面の不規則な凹凸パターンを最小限に抑制することができ、データの記録時あるいはデータの再生時に、磁気テープの裁断面の不規則な凹凸パターンに起因して、磁気テープの裁断面の一部が、磁気テープの裁断面から剥離して、脱落することを効果的に防止することができる磁気テープおよびその製造方法を提供することを目的とするものである。
【０００７】
【課題を解決するための手段】
本発明者は、本発明のかかる目的を達成するため、鋭意研究を重ねた結果、広幅の磁気テープが、互いにオーバーラップし、反対向きに回転する円板状の上刃と下刃の間に供給され、その長手方向に沿って、裁断されて、生成された磁気テープの裁断面には、剪断によって裁断された両側部に近い剪断領域と、破断によって裁断された剪断領域の間の破断領域が含まれ、裁断面の剪断領域においては、不規則な凹凸パターンが大きいのに対して、裁断面の破断領域においては、凹凸パターンが小さく、裁断面に含まれる破断領域の割合いが大きいほど、磁気テープの裁断面の不規則な凹凸パターンが小さくなり、下刃側の裁断面が、データ記録装置やデータ再生装置のガイド部材が接触することに起因して、裁断面の一部が、磁気テープの裁断面から剥離して、脱落することを防止することが可能になるが、下刃側の裁断面に含まれる破断領域が６５％を越えると、上刃側の裁断面に大きな不規則な凹凸パターンが生じ、データ記録装置やデータ再生装置のガイド部材によって、磁気テープがガイドされるときに、ガイド部材が、磁気テープの上刃側の裁断面に接触して、上刃側の裁断面の一部が、裁断面から剥離して、脱落するという不具合が生じるおそれがあることを見出し、広幅の支持体の一方の面に、磁気記録層が形成され、他方の面に、バックコート層が形成された広幅の磁気テープを、互いにオーバーラップし、反対向きに回転する円板状の上刃と円板状の下刃の間に供給し、所定の幅に裁断して、製造され、下刃側の裁断面が４０％ないし６５％の破断によって裁断された領域を含む磁気テープによって、本発明の前記目的が達成されることを見出した。
【０００８】
本発明者の研究によれば、互いにオーバーラップし、反対向きに回転する円板状の上刃と円板状の下刃によって、広幅の磁気テープが裁断されて、形成された下刃側の裁断面に含まれる破断領域が、４０％未満の場合には、下刃側の裁断面に大きな不規則な凹凸パターンが生じ、磁気テープにデータを記録する際に、磁気テープをガイドするデータ記録装置のガイド部材が、磁気テープの裁断面に接触し、あるいは、磁気テープからデータを再生する際に、磁気テープをガイドするデータ再生装置のガイド部材が、磁気テープの裁断面に接触して、裁断面の一部が、磁気テープの裁断面から剥離し、脱落するという不具合が生じるおそれが高いことが判明している。
【０００９】
また、本発明者の研究によれば、互いにオーバーラップし、反対向きに回転する円板状の上刃と円板状の下刃によって、広幅の磁気テープが裁断されて、形成された下刃側の裁断面に含まれる破断領域が、６５％を越えると、上刃側の裁断面に大きな不規則な凹凸パターンが生じ、データ記録装置やデータ再生装置のガイド部材によって、磁気テープがガイドされるときに、ガイド部材が、磁気テープの裁断面に接触して、磁気テープの裁断面の一部が、裁断面から剥離して、脱落するという不具合が生じるおそれが高いことが判明している。
【００１０】
これに対して、本発明者の研究によれば、磁気テープの下刃側の裁断面に含まれる破断領域が、４０ないし６５％の場合には、磁気テープの下刃側の裁断面の不規則な凹凸パターンも、上刃側の裁断面の不規則な凹凸パターンも許容範囲内であり、したがって、互いにオーバーラップし、反対向きに回転する円板状の上刃と円板状の下刃によって、広幅の磁気テープが裁断されて、形成されるべき下刃側の裁断面が、４０％ないし６５％の破断領域を含むように、互いにオーバーラップし、反対向きに回転する円板状の上刃と円板状の下刃との間に供給された広幅の磁気テープの裁断が開始されるときの円板状の上刃と円板状の下刃のなす裁断開始角度を設定して、広幅の磁気テープを裁断し、磁気テープを製造することによって、磁気テープの下刃側の裁断面あるいは上刃側の裁断面に、データ記録装置やデータ再生装置のガイド部材が接触することに起因して、裁断面の一部が、磁気テープの裁断面から剥離して、脱落することを効果的に防止し得ることが見出されている。
【００１１】
本明細書において、磁気テープの上刃側の裁断面とは、磁気テープを裁断した後に、上刃に接触している磁気テープの裁断面を指し、磁気テープの下刃側の裁断面とは、磁気テープを裁断した後に、下刃に接触している磁気テープの裁断面を指している。
【００１２】
したがって、本発明の前記目的は、広幅の支持体の一方の面に、磁気記録層が形成され、他方の面に、バックコート層が形成された広幅の磁気テープを、互いにオーバーラップし、反対向きに回転する円板状の上刃と円板状の下刃の間に供給して、所定の幅に裁断して、製造された磁気テープであって、前記下刃側の裁断面が、４０％ないし６５％の破断によって裁断された領域を含むことを特徴とする磁気テープによって達成される。
【００１３】
また、本発明者の研究によれば、下刃側の裁断面に含まれる破断領域の割合いは、円板状の上刃の径、円板状の下刃の径および円板状の上刃と円板状の下刃とのオーバーラップの程度のいかんにかかわらず、互いにオーバーラップし、反対向きに回転する円板状の上刃と円板状の下刃によって、その間に供給された広幅の磁気テープの裁断が開始されるときの円板状の上刃と円板状の下刃の裁断開始角度に依存することが見出されており、したがって、本発明の前記目的はまた、広幅の支持体の一方の面に、磁気記録層が形成され、他方の面に、バックコート層が形成された広幅の磁気テープを、互いにオーバーラップし、反対向きに回転する円板状の上刃と円板状の下刃の間に供給して、所定の幅に裁断し、磁気テープを製造する磁気テープの製造方法であって、前記上刃と前記下刃により、前記広幅の磁気テープが裁断されて、形成されるべき前記下刃側の裁断面が、４０％ないし６５％の破断によって裁断された領域を含むように、互いにオーバーラップし、反対向きに回転する前記円板状の上刃と前記円板状の下刃との間に供給された前記広幅の磁気テープの裁断が開始されるときの前記円板状の上刃と前記円板状の下刃のなす裁断開始角度を設定し、前記広幅の磁気テープを裁断し、磁気テープを製造することを特徴とする磁気テープの製造方法によって達成される。
【００１４】
本発明の好ましい実施態様においては、前記上刃と前記下刃により、前記広幅の磁気テープが裁断されて、形成されるべき前記下刃側の裁断面が、５０％ないし６０％の破断によって裁断された領域を含むように、互いにオーバーラップし、反対向きに回転する前記円板状の上刃と前記円板状の下刃との間に供給された前記広幅の磁気テープの裁断が開始されるときの前記円板状の上刃と前記円板状の下刃のなす裁断開始角度を設定し、前記広幅の磁気テープを裁断し、磁気テープを製造するように構成されている。
【００１５】
本発明者の研究によれば、上刃と下刃により、広幅の磁気テープが裁断されて、形成されるべき下刃側の裁断面が、５０ないし６０％の破断によって裁断された破断領域を含んでいる場合には、磁気テープの下刃側の裁断面の不規則な凹凸パターンも、上刃側の裁断面の不規則な凹凸パターンも、より小さくなることが判明しており、したがって、本発明の好ましい実施態様によれば、互いにオーバーラップし、反対向きに回転する円板状の上刃と円板状の下刃によって、広幅の磁気テープが裁断されて、形成されるべき下刃側の裁断面が、５０ないし６０％の破断領域を含むように、互いにオーバーラップし、反対向きに回転する円板状の上刃と円板状の下刃との間に供給された広幅の磁気テープの裁断が開始されるときの円板状の上刃と円板状の下刃のなす裁断開始角度を設定して、広幅の磁気テープを裁断し、磁気テープを製造するように構成されているから、磁気テープの下刃側の裁断面あるいは上刃側の裁断面に、データ記録装置やデータ再生装置のガイド部材が接触することに起因して、裁断面の一部が、磁気テープの裁断面から剥離して、脱落することを確実に防止することが可能になる。
【００１６】
本発明の好ましい実施態様においては、互いにオーバーラップし、反対向きに回転する前記円板状の上刃と前記円板状の下刃との間に供給された前記広幅の磁気テープの裁断が開始されるときの前記円板状の上刃と前記円板状の下刃のなす裁断開始角度を１２°以下に設定して、前記広幅の磁気テープを裁断し、磁気テープを製造するように構成されている。
【００１７】
本発明者の研究によれば、互いにオーバーラップし、反対向きに回転する円板状の上刃と円板状の下刃によって、広幅の磁気テープが裁断されて、形成された下刃側の裁断面に含まれる破断領域が、４０％ないし６５％の場合には、磁気テープの下刃側の裁断面の不規則な凹凸パターンおよび上刃側の裁断面の不規則な凹凸パターンは小さく、磁気テープの下刃側の裁断面あるいは上刃側の裁断面に、データ記録装置やデータ再生装置のガイド部材が接触することに起因して、裁断面の一部が、磁気テープの裁断面から剥離して、脱落することを効果的に防止し得るが、上刃と下刃のなす裁断開始角度が１２°を越えると、磁気テープの上刃側の裁断面に生じる不規則な凹凸パターンが大きくなって、磁気テープの上刃側の裁断面が、データ記録装置やデータ再生装置のガイド部材が接触したときに、裁断面の一部が、磁気テープの裁断面から剥離して、脱落するおそれがあることが見出されている。
【００１８】
したがって、本発明の好ましい実施態様によれば、互いにオーバーラップし、反対向きに回転する円板状の上刃と円板状の下刃との間に供給された広幅の磁気テープの裁断が開始されるときの円板状の上刃と円板状の下刃のなす裁断開始角度を１２°以下で、かつ、互いにオーバーラップし、反対向きに回転する円板状の上刃と円板状の下刃によって、広幅の磁気テープが裁断されて、形成されるべき下刃側の裁断面が、４０％ないし６５％の破断領域を含むように、設定して、広幅の磁気テープを裁断し、磁気テープを製造するように構成されているから、データ記録装置やデータ再生装置のガイド部材との接触によって、磁気テープの上刃側の裁断面の一部および下刃側の裁断面の一部が、磁気テープの裁断面から剥離して、脱落するという不具合の発生を効果的に防止することが可能になる。
【００１９】
本発明のさらに好ましい実施態様においては、互いにオーバーラップし、反対向きに回転する前記円板状の上刃と前記円板状の下刃との間に供給された前記広幅の磁気テープの裁断が開始されるときの前記円板状の上刃と前記円板状の下刃のなす裁断開始角度を９°以上で、かつ、１２°未満に設定して、前記広幅の磁気テープを裁断し、磁気テープを製造するように構成されている。
【００２０】
本発明者の研究によれば、互いにオーバーラップし、反対向きに回転する円板状の上刃と円板状の下刃によって、広幅の磁気テープが裁断されて、形成された下刃側の裁断面に含まれる破断領域が、４０％ないし６５％の場合には、磁気テープの下刃側の裁断面の不規則な凹凸パターンおよび上刃側の裁断面の不規則な凹凸パターンは小さく、磁気テープの下刃側の裁断面あるいは上刃側の裁断面に、データ記録装置やデータ再生装置のガイド部材が接触することに起因して、裁断面の一部が、磁気テープの裁断面から剥離して、脱落することを効果的に防止し得る一方で、下刃側の裁断面に含まれる破断領域の割合いが大きくなるほど、磁気テープの上刃側の裁断面の不規則な凹凸パターンは大きくなることが認められるが、上刃と下刃のなす裁断開始角度を９°以上で、かつ、１２°未満に設定して、広幅の磁気テープを裁断し、磁気テープを製造する場合には、磁気テープの上刃側の裁断面に、データ記録装置やデータ再生装置のガイド部材が接触することによって、脱落してしまうような凸部が形成されるおそれはないことが見出されている。
【００２１】
したがって、本発明のさらに好ましい実施態様によれば、互いにオーバーラップし、反対向きに回転する円板状の上刃と円板状の下刃との間に供給された広幅の磁気テープの裁断が開始されるときの円板状の上刃と円板状の下刃のなす裁断開始角度を９°以上で、１２°未満であり、かつ、互いにオーバーラップし、反対向きに回転する円板状の上刃と円板状の下刃によって、広幅の磁気テープが裁断されて、形成されるべき下刃側の裁断面が、４０％ないし６５％の破断領域を含むように、設定して、広幅の磁気テープを裁断し、磁気テープを製造するように構成されているから、データ記録装置やデータ再生装置のガイド部材との接触によって、磁気テープの上刃側の裁断面の一部および下刃側の裁断面の一部が、磁気テープの裁断面から剥離して、脱落するという不具合の発生を確実に防止することが可能になる。
【００２２】
本発明の好ましい実施態様によれば、前記上刃として、前記下刃に対向する面が、前記下刃の前記上刃に対向する面と略平行な上刃を用いられている。
【００２３】
本発明において、磁気テープの種類はとくに限定されるものではなく、コンピュータ用データバックアップテープ、オーディオ用磁気テープ、ビデオ用磁気テープ、８ｍｍビデオ用磁気テープなど磁気テープ一般を含み、単層の磁気記録層が形成されていても、多層の磁気記録層が形成されていてもよい。
【００２４】
本発明において、磁気テープは、支持体と、支持体の一方の面に形成された１層または多層の磁気記録層と、支持体の他の面に形成されたバックコート層を備えているが、磁気記録層と支持体との密着性を向上させるために、磁気記録層と支持体の間に、下塗り層（アンダーコート層）が設けられていてもよい。
【００２５】
本発明の好ましい実施態様においては、前記磁気テープが、コンピュータ用データバックアップテープとして、構成されている。
【００２６】
【発明の実施の形態】
以下、添付図面に基づいて、本発明の好ましい実施態様につき、詳細に説明を加える。
【００２７】
図１は、広幅の磁気テープが、その長手方向に沿って、理想的に裁断されて、生成された磁気テープの略横断面図である。
【００２８】
本実施態様にかかる磁気テープ１は、コンピュータ用データバックアップテープとして用いられ、図１に示されるように、コンピュータ用データバックアップテープ１は、支持体２を備え、支持体２の一方の面には、アンダーコート層３と、データを記録する磁気記録層４が形成され、他方の面には、バックコート層５が形成されている。
【００２９】
本実施態様においては、コンピュータ用データバックアップテープ１の支持体２は、６．０ないし６．５μｍ、好ましくは、６．１ないし６．３μｍの厚さを有し、支持体２の一方の面に、０．５ないし２．５μｍの厚さのアンダーコート層３と、０．０５ないし０．５μｍの厚さの磁気記録層４が形成され、支持体２の他方の面に、０．４ないし０．７μｍの厚さのバックコート層５が形成されている。
【００３０】
図１に示されたコンピュータ用データバックアップテープ１は、広幅の支持体２の一方の面に、塗布などによって、アンダーコート層３および磁気記録層４が形成され、他方の面に、塗布などにより、バックコート層５が形成された広幅の磁気テープ（図示せず）が、その長手方向に、所定の幅に裁断されて、形成される。
【００３１】
図２は、本発明の好ましい実施態様にかかる磁気テープ裁断装置の略横断面図であり、図３は、図２において、Ａで示された部分の略一部拡大断面図である。
【００３２】
図２に示されるように、本実施態様にかかる磁気テープ裁断装置は、約６．２μｍの厚さを有する広幅の支持体２の一方の面に、約２μｍの厚さのアンダーコート層３と、約０．１５μｍの厚さの磁気記録層４が形成され、支持体２の他方の面に、約０．５μｍの厚さのバックコート層５が形成された広幅の磁気テープ（図示せず）を、所定の幅に裁断して、コンピュータ用データバックアップテープ１を製造可能に構成され、それぞれが、円板状の上刃６と、円板状の下刃７を備えた複数の裁断ユニット８を備えており、各裁断ユニット８の円板状の上刃６および下刃７は、回転可能に構成されている。
【００３３】
図３において、ＯＬは、上刃６と下刃７のオーバーラップしている部分の長さである。
【００３４】
図３に示されるように、本実施態様においては、上刃６として、下刃７に対向する面が、下刃７の上刃６に対向する面と略平行で、下刃７に対向する面と反対側の面に、先端部に向かうにつれて、上刃６の厚さが減少するように、傾斜面が形成された上刃６が用いられている。
【００３５】
図４は、図１に示された磁気テープ裁断装置を構成する各裁断ユニット８の略縦断面図である。
【００３６】
図４に示されるように、本実施態様にかかる磁気テープ裁断装置を構成する各裁断ユニット８においては、円板状の上刃６と、円板状の下刃７は、互いに反対向きに回転され、広幅の磁気テープは、磁気記録層４が上刃側に位置し、バックコート層５が下刃側に位置するように、円板状の上刃６と円板状の下刃７の間に供給され、磁気テープ裁断装置を構成する隣り合った裁断ユニット８の上刃６と下刃７によって、広幅の磁気テープが所定の幅に裁断されて、コンピュータ用データバックアップテープ１が製造される。
【００３７】
本実施態様においては、円板状の上刃６と円板状の下刃７によって、その間に供給された広幅の磁気テープの裁断が開始されるときの円板状の上刃６と円板状の下刃７のなす角度（以下、「裁断開始角度」という。）θが、９°以上で、かつ、１２°未満に設定されている。
【００３８】
ここに、上刃６と下刃７のなす裁断開始角度θは、上刃６と下刃７のオーバーラップしている部分の長さＯＬを調整することによって、設定される。
【００３９】
図５は、広幅の磁気テープが、その長手方向に沿って、所定の幅に裁断されて、生成されたコンピュータ用データバックアップテープ１の略横断面図である。
【００４０】
図５に示されるように、広幅の磁気テープが、その長手方向に沿って、所定の幅に裁断されて、生成されたコンピュータ用データバックアップテープ１の上刃側の裁断面は、不規則な凹凸パターンを有し、通常、磁気記録層４の表面に近い部分に、突出部を有し、一方、下刃側の裁断面は、通常、バックコート層５に近い部分に、突出部を有している。
【００４１】
コンピュータ用データバックアップテープ１の磁気記録層４へのデータの記録にあたっては、コンピュータ用データバックアップテープ１の両側面、すなわち、両裁断面が、データ記録装置のガイド部材によってガイドされて、コンピュータ用データバックアップテープ１がデータ記録装置内を送られ、一方、コンピュータ用データバックアップテープ１の磁気記録層４に記録されたデータの再生にあたっては、コンピュータ用データバックアップテープ１の両裁断面が、データ再生装置のガイド部材によってガイドされて、コンピュータ用データバックアップテープ１がデータ再生装置内を送られるように構成されている。
【００４２】
したがって、コンピュータ用データバックアップテープ１の裁断面の突出量が所定量を越えると、データの記録時あるいはデータの再生時に、データ記録装置あるいはデータ再生装置のガイド部材が、コンピュータ用データバックアップテープ１の裁断面の突出部に接触することに起因して、裁断面の突出部が、コンピュータ用データバックアップテープ１から脱落するという不具合を生ずるおそれがある。
【００４３】
図６は、コンピュータ用データバックアップテープ１の下刃側の裁断面のプロファイルの一例を示す概略図である。
【００４４】
図６に示されるように、広幅の磁気テープが、その長手方向に沿って、所定の幅に裁断されて、生成されたコンピュータ用データバックアップテープ１の下刃側の裁断面には、バックコート層５およびその近傍に、第一の突出部１０が形成され、第一の突出部１０から、コンピュータ用データバックアップテープ１の厚さ方向略中央部に向かった位置に、第一の凹部１１が形成されている。
【００４５】
ここに、バックコート層５と第一の凹部１１との間の領域は、裁断ユニット８の円板状の上刃６と円板状の下刃７から、コンピュータ用データバックアップテープ１に加わった剪断力によって、裁断された第一の剪断領域１２であり、図６に示されるように、第一の剪断領域１２には、不規則で、大きな凹凸パターンが形成されている。
【００４６】
図６に示されるように、コンピュータ用データバックアップテープ１の下刃側の裁断面には、さらに、その厚さ方向略中央部の近傍に、第二の突出部１３が形成されており、第二の突出部１３から、磁気記録層４に向かった位置に、第二の凹部１４が形成されている。
【００４７】
ここに、第二の突出部１３を含む第一の凹部１１と第二の凹部１４との間の領域は、裁断ユニット８の円板状の上刃６と円板状の下刃７によって、コンピュータ用データバックアップテープ１が破断して、形成された破断領域１５であり、図６に示されるように、第一の剪断領域１２に比して、不規則な凹凸パターンが小さくなっている。
【００４８】
図６に示されるように、コンピュータ用データバックアップテープ１の下刃側の裁断面には、さらに、第二の凹部１４と磁気記録層４との間に、裁断ユニット８の円板状の上刃６と円板状の下刃７から、コンピュータ用データバックアップテープ１に加わった剪断力によって、裁断された第二の剪断領域１６が形成されている。図６に示されるように、第一の剪断領域１２と同様に、第二の剪断領域１６には、不規則で、大きな凹凸パターンが形成されている。
【００４９】
したがって、コンピュータ用データバックアップテープ１の下刃側の裁断面中に含まれる破断領域１５の割合いが大きくなるように、広幅の磁気テープを裁断することによって、コンピュータ用データバックアップテープ１の下刃側の裁断面の不規則な凹凸パターンを小さくすることが可能になり、コンピュータ用データバックアップテープ１の下刃側の裁断面中に含まれる破断領域１５の割合いが所定値以上になるように、広幅の磁気テープを裁断することによって、データの記録時あるいはデータの再生時に、データ記録装置あるいはデータ再生装置のガイド部材が、コンピュータ用データバックアップテープ１の下刃側の裁断面の突出部に接触することに起因して、裁断面の突出部が、コンピュータ用データバックアップテープ１から脱落するという不具合が発生することを効果的に防止することが可能になる。
【００５０】
しかるに、本発明者の研究によれば、コンピュータ用データバックアップテープ１の下刃側の裁断面中に含まれる破断領域１５の割合いは、円板状の上刃６の径、円板状の下刃７の径および円板状の上刃６と円板状の下刃７のオーバーラップしている部分の長さＯＬのいかんにかかわらず、上刃６と下刃７のなす裁断開始角度θに依存することが見出されており、したがって、上刃６と下刃７のオーバーラップしている部分の長さＯＬを調整して、上刃６と下刃７のなす裁断開始角度θを制御することにより、コンピュータ用データバックアップテープ１の下刃側の裁断面の不規則な凹凸パターンを、所望のように、制御することができ、上刃６と下刃７のなす裁断開始角度θを、コンピュータ用データバックアップテープ１の下刃側の裁断面中に含まれる破断領域１５の割合いが４０％ないし６５％になるような角度に調整することによって、コンピュータ用データバックアップテープ１の下刃側の裁断面の不規則な凹凸パターンを許容範囲内に制御可能であることが見出された。
【００５１】
本実施態様においては、上刃６と下刃７のなす裁断開始角度θが、９°以上で、かつ、１２°未満に設定されており、円板状の上刃６と円板状の下刃７を用いて、９°以上で、かつ、１２°未満の裁断開始角度θで、広幅の磁気テープを裁断して、コンピュータ用データバックアップテープ１を製造する場合には、円板状の上刃６と円板状の下刃７によって、広幅の磁気テープが裁断されて、生成されたコンピュータ用データバックアップテープ１の下刃側の裁断面中に含まれる破断領域１５の割合いは５０％ないし６０％になることが認められているから、コンピュータ用データバックアップテープ１の下刃側の裁断面の不規則な凹凸パターンが小さくなるように、制御することができ、データの記録時あるいはデータの再生時に、データ記録装置あるいはデータ再生装置のガイド部材が、コンピュータ用データバックアップテープ１の下刃側の裁断面の突出部に接触することに起因して、下刃側の裁断面の突出部が、コンピュータ用データバックアップテープ１の下刃側の裁断面から剥離して、脱落することを効果的に防止することが可能になる。
【００５２】
また、本発明者の研究によれば、上刃６と下刃７のなす裁断開始角度θが大きくなるにしたがって、コンピュータ用データバックアップテープ１の上刃側の裁断面の不規則な凹凸パターンが大きくなり、突出部の突出量も大きくなることが見出されているが、上刃６と下刃７のなす裁断開始角度θが１２°未満の場合には、コンピュータ用データバックアップテープ１の上刃側の裁断面の不規則な凹凸パターンも小さく、データの記録時あるいはデータの再生時に、データ記録装置あるいはデータ再生装置のガイド部材が、コンピュータ用データバックアップテープ１の上刃側の裁断面の突出部に接触しても、上刃側の裁断面の突出部が、コンピュータ用データバックアップテープ１の上刃側の裁断面から剥離して、脱落するおそれがないことが、本発明者によって確認されている。
【００５３】
したがって、本実施態様においては、上刃６と下刃７のなす裁断開始角度θが、９°以上で、かつ、１２°未満に設定され、円板状の上刃６と円板状の下刃７によって、広幅の磁気テープが裁断されて、生成されたコンピュータ用データバックアップテープ１の下刃側の裁断面中に含まれる破断領域１５の割合いが５０％ないし６０％になり、コンピュータ用データバックアップテープ１の下刃側の裁断面の不規則な凹凸パターンおよび上刃側の裁断面の不規則な凹凸パターンを小さくすることが可能になるから、データの記録時あるいはデータの再生時に、データ記録装置あるいはデータ再生装置のガイド部材が、コンピュータ用データバックアップテープ１の下刃側の裁断面の突出部あるいは上刃側の裁断面の突出部に接触することに起因して、下刃側の裁断面の突出部あるいは上刃側の裁断面の突出部が、コンピュータ用データバックアップテープ１の下刃側の裁断面から剥離して、脱落することを効果的に防止することが可能になる。
【００５４】
【実施例】
以下、本発明の効果を、より一層明らかにするため、実施例を掲げる。
【００５５】
実施例１
幅５００ｍｍで、６．１μｍの厚さのポリエチレンナフタレート製の広幅の支持体２の一方の面に、２μｍの厚さのアンダーコート層３と、０．１５μｍの厚さの磁気記録層４を形成するとともに、支持体２の他方の面に、０．５μｍの厚さのバックコート層５を形成して、広幅の磁気テープを製造した。
【００５６】
次いで、それぞれ、径が１５０ｍｍの上刃６および下刃７を備えた一対の裁断ユニット８を用いて、広幅の磁気テープを裁断して、幅１２．６５ｍｍのコンピュータ用データバックアップテープ１を生成した。
【００５７】
ここに、上刃６としては、上刃６の下刃７に対向する面が、下刃７の上刃６に対向する面と略平行で、下刃７に対向する面と反対側の面に、先端部に向かうにつれて、上刃６の厚さが減少するように、傾斜面が形成された上刃６を用い、一対の裁断ユニットの上刃６と下刃７のオーバーラップしている部分の長さＯＬを変化させて、上刃６と下刃７のなす裁断開始角度θを変化させ、それぞれの場合に、広幅の磁気テープが裁断されて、生成されたコンピュータ用データバックアップテープ１の両裁断面の状況を検査した。
【００５８】
図６に示されるように、コンピュータ用データバックアップテープ１の下刃側の裁断面には、バックコート層５およびその近傍に、第一の突出部１０が形成され、第一の突出部１０から、コンピュータ用データバックアップテープ１の厚さ方向略中央部に向かった位置に、第一の凹部１１が形成されており、バックコート層５と第一の凹部１１との間の領域は、裁断ユニット８の円板状の上刃６と円板状の下刃７から、コンピュータ用データバックアップテープ１に加わった剪断力によって、裁断された第一の剪断領域１２で、第一の剪断領域１２には、不規則で、大きな凹凸パターンが形成されている。
【００５９】
図６に示されるように、コンピュータ用データバックアップテープ１の下刃側の裁断面には、さらに、その厚さ方向略中央部の近傍に、第二の突出部１３が形成され、第二の突出部１３から、磁気記録層４に向かった位置に、第二の凹部１４が形成されており、第二の突出部１３を含む第一の凹部１１と第二の凹部１４との間の領域は、裁断ユニット８の円板状の上刃６と円板状の下刃７によって、コンピュータ用データバックアップテープ１が破断して、形成された破断領域１５であり、第一の剪断領域１２に比して、不規則な凹凸パターンが小さくなっている。
【００６０】
図６に示されるように、コンピュータ用データバックアップテープ１の下刃側の裁断面には、さらに、第二の凹部１４と磁気記録層４との間に、裁断ユニット８の円板状の上刃６と円板状の下刃７から、コンピュータ用データバックアップテープ１に加わった剪断力によって、裁断された第二の剪断領域１６が形成され、第一の剪断領域１２と同様に、第二の剪断領域１６には、不規則で、大きな凹凸パターンが形成されている。
【００６１】
表１は、一対の裁断ユニットの上刃６と下刃７のオーバーラップしている部分の長さＯＬを変化させて、上刃６と下刃７のなす裁断開始角度θを変化させ、それぞれの場合に、磁気テープが裁断されて、生成されたコンピュータ用データバックアップテープ１の下刃側の裁断面中の第一の剪断領域１１、破断領域１５および第二の剪断領域１６の割合いを示すものである。
【００６２】
【表１】
2004272968.tif 000003
表１に示されるように、上刃６と下刃７のなす裁断開始角度θを変化させると、コンピュータ用データバックアップテープ１の下刃側の裁断面中の第一の剪断領域１２、破断領域１５および第二の剪断領域１６の割合いが変化し、その結果、コンピュータ用データバックアップテープ１の下刃側の裁断面の不規則な凹凸パターンが変化することが認められる。
【００６３】
こうして、上刃６と下刃７のなす裁断開始角度θを異なる角度に設定して、広幅の磁気テープを裁断し、得られたコンピュータ用データバックアップテープ１の両裁断面の状況を観察したところ、コンピュータ用データバックアップテープ１の下刃側の裁断面中に含まれる破断領域１５の割合いが、４０％ないし６５％のときに、コンピュータ用データバックアップテープ１の下刃側の裁断面の不規則な凹凸パターンを許容範囲内に収めることができ、ことに、コンピュータ用データバックアップテープ１の下刃側の裁断面中に含まれる破断領域１５の割合いが、５０％ないし６０％のときに、下刃側の裁断面の不規則な凹凸パターンおよび上刃側の裁断面の不規則な凹凸パターンが十分に小さいコンピュータ用データバックアップテープ１が生成されることが判明した。
【００６４】
実施例２
幅５００ｍｍで、６．１μｍの厚さのポリエチレンテレフタレート製の広幅の支持体２の一方の面に、２μｍの厚さのアンダーコート層３と、０．１５μｍの厚さの磁気記録層４を形成するとともに、支持体２の他方の面に、０．５μｍの厚さのバックコート層５を形成して、広幅の磁気テープを製造し、得られた広幅の磁気テープを、径が１００ｍｍの上刃６および下刃７を備えた一対の裁断ユニット８を用いて、裁断して、幅１２．６５ｍｍのコンピュータ用データバックアップテープ１を生成した。
【００６５】
ここに、上刃６としては、上刃６の下刃７に対向する面が、下刃７の上刃６に対向する面と略平行で、下刃７に対向する面と反対側の面に、先端部に向かうにつれて、上刃６の厚さが減少するように、傾斜面が形成された上刃６を用い、一対の裁断ユニットの上刃６と下刃７のオーバーラップしている部分の長さＯＬを変化させて、上刃６と下刃７のなす裁断開始角度θを変化させ、それぞれの場合に、広幅の磁気テープが裁断されて、生成された磁気テープの両裁断面の状況を観察した。
【００６６】
その結果、径が１００ｍｍの上刃６および下刃７を用いて、広幅の磁気テープを裁断して、コンピュータ用データバックアップテープ１を製造した場合においても、径が１５０ｍｍの上刃６および下刃７を用いて、広幅の磁気テープを裁断した場合と同様に、コンピュータ用データバックアップテープ１の下刃側の裁断面中に含まれる破断領域１５の割合いが、４０％ないし６５％のときに、コンピュータ用データバックアップテープ１の下刃側の裁断面の不規則な凹凸パターンを許容範囲内に収めることができ、ことに、コンピュータ用データバックアップテープ１の下刃側の裁断面中に含まれる破断領域１５の割合いが、５０％ないし６０％のときに、下刃側の裁断面の不規則な凹凸パターンおよび上刃側の裁断面の不規則な凹凸パターンが十分に小さいコンピュータ用データバックアップテープ１が生成されることが判明した。
【００６７】
したがって、上刃６と下刃７のなす裁断開始角度θを、広幅の磁気テープが裁断されて、形成されるべき前記下刃側の裁断面が、４０％ないし６５％の破断によって裁断された領域を含むように設定して、広幅の磁気テープを裁断し、コンピュータ用データバックアップテープ１を生成することによって、データの記録時あるいはデータの再生時に、コンピュータ用データバックアップテープ１の裁断面の突出部が、コンピュータ用データバックアップテープ１の裁断面から剥離して、脱落することを防止し得ることがわかった。
【００６８】
また、上刃６と下刃７のなす裁断開始角度θを、広幅の磁気テープが裁断されて、形成されるべき前記下刃側の裁断面が、５０％ないし６０％の破断によって裁断された領域を含むように設定して、広幅の磁気テープを裁断し、コンピュータ用データバックアップテープ１を生成することによって、データの記録時あるいはデータの再生時に、コンピュータ用データバックアップテープ１の裁断面の突出部が、コンピュータ用データバックアップテープ１の裁断面から剥離して、脱落することを確実に防止し得ることがわかった。
【００６９】
本発明は、以上の実施態様に限定されることなく、特許請求の範囲に記載された発明の範囲内で種々の変更が可能であり、それらも本発明の範囲内に包含されるものであることはいうまでもない。
【００７０】
たとえば、前記実施態様および前記実施例においては、広幅の磁気テープを裁断して、コンピュータ用データバックアップテープを製造する場合につき、説明を加えたが、本発明は、広幅の磁気テープを裁断して、コンピュータ用データバックアップテープを製造する場合に限定されるものではなく、広幅の磁気テープを裁断して、オーディオ用磁気テープ、ビデオ用磁気テープ、８ｍｍビデオ用磁気テープなど、広く、磁気テープ一般を製造する場合にも適用することができ、磁気記録層４が単層の場合だけでなく、多層の磁気記録層４を備えた磁気テープを製造する場合にも適用することができる。
【００７１】
また、前記実施態様および前記実施例においては、下刃７に対向する面が、下刃７の上刃６に対向する面と略平行で、下刃７に対向する面と反対側の面に、先端部に向かうにつれて、上刃６の厚さが減少するように、傾斜面が形成された上刃６を用いて、広幅の磁気テープを裁断して、コンピュータ用データバックアップテープを製造するように構成されているが、下刃７に対向する面が、下刃７の上刃６に対向する面と略平行で、下刃７に対向する面と反対側の面に、先端部に向かうにつれて、上刃６の厚さが減少するように、傾斜面が形成された上刃６を用いて、広幅の磁気テープを裁断することは必ずしも必要でなく、下刃７に対向する面が、下刃７の上刃６に対向する面と、所定の角度を有するように、面取りされ、下刃７に対向する面と反対側の面に、先端部に向かうにつれて、上刃６の厚さが減少するように、傾斜面が形成された上刃６を用いて、広幅の磁気テープを裁断して、コンピュータ用データバックアップテープを製造するようにしてもよい。
【００７２】
【発明の効果】
本発明によれば、互いにオーバーラップし、反対向きに回転する円板状の上刃と下刃の間に、広幅の磁気テープを供給し、その長手方向に沿って、広幅の磁気テープを裁断して、磁気テープを製造する際に、得られる磁気テープの裁断面の不規則な凹凸パターンを最小限に抑制することができ、データの記録時あるいはデータの再生時に、磁気テープの裁断面の不規則な凹凸パターンに起因して、磁気テープの裁断面の一部が、磁気テープの裁断面から剥離して、脱落することを効果的に防止することができる磁気テープおよびその製造方法を提供することが可能になる。
【図面の簡単な説明】
【図１】図１は、広幅の磁気テープが、その長手方向に沿って、理想的に裁断されて、生成されたコンピュータ用データバックアップテープの略横断面図である。
【図２】図２は、本発明の好ましい実施態様にかかる磁気テープ裁断装置の略横断面図である。
【図３】図３は、図２において、Ａで示された部分の略一部拡大断面図である。
【図４】図４は、図１に示された磁気テープ裁断装置を構成する各裁断ユニットの略縦断面図である。
【図５】図５は、広幅の磁気テープが、その長手方向に沿って、裁断されて、生成されたコンピュータ用データバックアップテープの略横断面図である。
【図６】図６は、コンピュータ用データバックアップテープの下刃側の裁断面のプロファイルの一例を示す概略図である。
【符号の説明】
１  コンピュータ用データバックアップテープ
２  支持体
３  アンダーコート層
４  磁気記録層
５  バックコート層
６  上刃
７  下刃
８  裁断ユニット
１０  第一の突出部
１１  第一の凹部
１２  第一の剪断領域
１３  第二の突出部
１４  第二の凹部
１５  破断領域
１６  第二の剪断領域
【図１】
2004272968.tif 000004
【図２】
2004272968.tif 000005
【図３】
2004272968.tif 000006
【図４】
2004272968.tif 000007
【図５】
2004272968.tif 000008
【図６】
2004272968.tif 000009